(57)【要約】      （修正有）【課題】飲食店、食品販売店等、客室内に居る人より、捕虫テープを不可視化するために設けられる捕虫器用カバーにおいて、不可視化を要しない捕虫器と比しても、捕虫効果の落ちない捕虫器用カバーを提供する。【解決手段】飛翔昆虫を誘引するための誘虫ランプ３を、誘虫ランプホルダー１２を介して着脱可能に配した灯具１６と、この誘虫ランプ３により誘引された飛翔昆虫を捕獲するための捕虫テープ４を捕虫テープ掛止部１０及び捕虫テープホルダー１１を介して、着脱可能に設置した捕虫器本体２の全体を覆うカバー１に於いて、人の視線を遮る面に複数の開口部５を設け、この開口部５の内側あるいは外側に開口部５と平行に、飛翔昆虫が通過可能な隙間を開け、カバー１内部の捕虫テープ４が外部より直接目視不可能にし、かつ誘虫ランプ３の光を透過する半透明の材質でなるアクリル板を設けた。【選択図】図１
2019000086.tif 000002
【特許請求の範囲】
【請求項１】
室内壁面に設置し、飛翔昆虫を誘引するための誘虫ランプと、誘引した飛翔昆虫を捕獲する捕虫シートを備えた捕虫器本体を、不可視化するカバーであって、
前記飛翔昆虫が通過可能な開口部を有するカバーであって、
開口部内側に飛翔昆虫が通過可能な隙間を持って、アクリル板を配置したカバーであって、
前記アクリル板は、半透明である、カバー。
【請求項２】
前記カバーは、開口部外側に飛翔昆虫が通過可能な隙間を持って、アクリル板を配置したカバーであって、
前記アクリル板は、半透明である、カバー。
【請求項３】
前記カバーは、複数の前記開口部を有し、一部の開口部に前記アクリル板を配置しない、請求項１及び請求項２のうち、１項に記載の、カバー。
【請求項４】
前記カバーは、開口部に角部を有する、請求項１から請求項３のうち、１項に記載のカバー。
【発明の詳細な説明】
【技術分野】
【０００１】  本発明は、誘虫ランプの発する誘引光を誘引手段として誘引した蚊、蝿、羽虫及び蛾等の飛翔昆虫を捕獲する捕虫器において、捕獲した飛翔昆虫が付着した捕虫テープを、捕虫器を設置した飲食店、食品販売店等の客室内に居る人より不可視化すると共に、インテリアとしてのデザインを工夫可能な捕虫器用カバーに関する。
【発明の概要】
【発明が解決しようとする課題】
【０００２】  従来この種のカバーにおいては、不可視化を要する方向については、不透明のカバーが用いられていた。【０００３】  また、不可視化を要しない方向に開口部を設け、捕虫器本体に配置された誘虫ランプの発する誘虫光を開口部より放射し、誘虫光により誘われた飛翔昆虫を開口部よりカバー内部に侵入させ、捕虫器本体に配置された捕虫テープにより捕獲する方法が用いられる。【０００４】  しかし、不可視化を要しない方向にのみ、開口部を設ける方法では、カバーを使用しない捕虫器に比して、飛翔昆虫の誘引効果が格段に低下するという問題があった。【０００５】  本発明はこのような課題を解決するもので、半透明のアクリル板を配置した開口部を設置することにより、不可視化を要する方向にも誘引光の放射と飛翔昆虫のカバー内部への侵入を可能とすることにより、また、飛翔昆虫が角部に止まることを好む性質を利用し、開口部に角部を設けることにより、開口部に不可視化を実現しつつ、カバーを用いない捕虫器に比しても捕虫効果の落ちない捕虫器用カバーを提供することを目的とするものである。
【課題を解決するための手段】
【０００６】  この課題を解決するために請求項１の発明は、室内壁面に設置し、飛翔昆虫を誘引するための誘虫ランプと、誘引した飛翔昆虫を捕獲する捕虫テープを備えた捕虫器本体を、不可視化するカバーであって、
飛翔昆虫が通過可能な開口部を有するカバーであって、
開口部内側に飛翔昆虫が通過可能な隙間を持って、アクリル板を配置したカバーであって、
前記アクリル板は、半透明である、カバーである。【０００７】  この構成においては、不可視化を要する方向にも誘引光の放射と飛翔昆虫のカバー内部への侵入を可能とすることにより、開口部に不可視化を実現しつつ、カバーを用いない捕虫器に比しても捕虫効果の落ちない捕虫器用カバーを提供することができる。【０００８】  請求項２の発明は、開口部外側に飛翔昆虫が通過可能な隙間を持って、アクリル板を配置したカバーであって、
前記アクリル板は、半透明である、カバーである。【０００９】  この構成においては、アクリル板の形状をインテリアとしてのデザインを工夫可能となる捕虫器用カバーを提供することができる。【００１０】  請求項３の発明は、複数の前記開口部を有し、一部の開口部に前記アクリル板を配置しない、請求項１及び請求項２のうち、１項に記載の、カバーである。【００１１】  この構成においては、不可視化を要しない方向については従来の捕虫器と同様の開口部とすることで、それに加えて不可視化を要する方向には、アクリル板を配置した開口部を設置することにより、従来の捕虫器を超える捕虫効果を得る捕虫器用カバーを提供することができる。【００１２】  請求項４の発明は、開口部に角部を有する、請求項１から請求項３のうち、１項に記載のカバーである。【００１３】  この構成においては、飛翔昆虫が角部に止まることを好む性質を利用し、誘引光との相乗効果により、開口部からカバー内部に飛翔昆虫を誘導する捕虫器用カバーを提供することができる。
【発明の効果】以上のように本発明によれば、不可視化を要する場所に設置し、不可視化を実現しながら、不可視化を考慮しない捕虫器と比しても、捕虫効果の落ちない捕虫器を、提供できるものである。
【図面の簡単な説明】
【図１】  本発明の一実施の形態において捕虫器本体からカバーを取り外し、前方に平行移動させた状態を示す全体斜視図である。
【図２】  本発明の一実施の形態におけるカバーのＡ−Ａ’断面図である。
【発明を実施するための形態】
【００１４】  以下、本発明の一実施の形態について、図面に基づいて説明する。
図１において、室内壁面に設置し、飛翔昆虫を誘引するための誘虫ランプ３と、誘引した飛翔昆虫を捕獲する捕虫シート４を備えた捕虫器本体２を、不可視化するカバー１であって、
飛翔昆虫が通過可能な開口部５を有するカバー１であって、
開口部５内側に飛翔昆虫が通過可能な隙間を持って、アクリル板６を配置したカバー１であって、
アクリル板６は、半透明である、カバー１である。
【００１５】カバー１は、開口部５外側に飛翔昆虫が通過可能な隙間を持って、アクリル板６を配置することも可能である。
【００１６】カバー１は、複数の開口部５を有し、不可視化を要しない開口部５にアクリル板６を配置しない、カバー１である。
【００１７】カバー１は、開口部５に複数の角部７を有する。
【００１８】  捕虫器本体２には誘虫ランプホルダー１２により保持される誘虫ランプ３を点灯させる灯具１６が設置されており、灯具１６には電源コード１４と引っ張りスイッチ１５が付属している。
【符号の説明】
【００１９】１    カバー
２    捕虫器本体
３    誘虫ランプ
４    捕虫テープ
５    開口部
６    アクリル板
７    角部
８    カバー受金具
９    カバー取付穴
１０  捕虫テープ掛止部
１１  捕虫テープホルダー
１２  誘虫ランプホルダー
１３  点灯管
１４  電源コード
１５  引っ張りスイッチ
１６  灯具
【図１】
2019000086.tif 000003
【図２】
2019000086.tif 000004